(57)【要約】【課題】  組立作業の簡素化を図ることができるとともに、美観に優れたフローリング仕上材を得ることができ、かつ製造加工を簡単に行うことができる暖房床材を提供する。【解決手段】  収容空間を内部に有する筐体と、筐体に配設され、収容空間の一部を覆う表面部材４３と、表面部材４３によって被覆され、かつ収容空間に収容され、ヒータ熱を発生させるためのヒータ線３Ａ及びヒータ線３Ａを覆う２つのシート部材４，５を有するヒータユニット２とを備えた暖房床材１であって、２つのシート部４，５のうち表面部材側のシート部材４は、熱伝導性材料からなる単一の軟質層によって形成されている。【選択図】    図３
2007010182.tif 000002
【特許請求の範囲】
【請求項１】
収容空間を内部に有する筐体と、
前記筐体に配設され、前記収容空間の一部を覆う表面部材と、
前記表面部材によって被覆され、かつ前記収容空間に収容され、ヒータ熱を発生させるためのヒータ線及び前記ヒータ線を覆う２つのシート部材を有するヒータユニットとを備えた暖房床材であって、
前記２つのシート部材のうち表面部材側のシート部材は、熱伝導性材料からなる単一の軟質層によって形成されていることを特徴とする暖房床材。
【請求項２】
両側に開口する収容空間を有する筐体と、
前記筐体に配設され、前記収容空間の両開口部のうち一方の開口部を覆う木質系の表面部材と、
前記表面部材によって被覆され、かつ前記収容空間に収容され、ヒータ熱を発生させるためのヒータ線及び前記ヒータ線を覆う２つのシート部材を有する断熱部材付きのヒータユニットと、
前記ヒータユニットの反表面部材側に配設され、前記収容空間の両開口部のうち他方の開口部を覆う封止用の裏面部材とを備えた暖房床材であって、
前記２つのシート部材のうち表面部材側のシート部材は、熱伝導性材料からなる単一の軟質層によって形成されていることを特徴とする暖房床材。
【請求項３】
前記表面部材は、前記筐体に一体に設けられていることを特徴とする請求項１又は請求項２に記載の暖房床材。
【請求項４】
前記軟質層の厚さｔは、ｔ＝０．２ｍｍの寸法に設定されていることを特徴とする請求項１〜３のいずれかに記載の暖房床材。
【請求項５】
前記２つのシート部材のうち裏面部材側のシート部材は、熱伝導性部材及び合成樹脂部材を貼り合わせてなるラミネート部材によって形成されていることを特徴とする請求項１〜４のいずれかに記載の暖房床材。
【請求項６】
前記熱伝導性材料は、アルミニウムからなる金属材料であることを特徴とする請求項１〜５のいずれかに記載の暖房床材。
【発明の詳細な説明】
【技術分野】
【０００１】
本発明は、暖房床材に関し、特に一般家庭用フローリングにおいてヒータ線を使用した暖房床材に関する。
【背景技術】
【０００２】
戸建住宅や集合住宅などの建造物においては、居住性を高める目的から、新築時あるいはリフォーム時にその床に暖房床材を用いることが行われている。
【０００３】
従来、この種の暖房床材には、図４〜図７に示すような暖房床材（木質系暖房床材）が提案されている。この暖房床材につき、図４〜図７を用いて説明すると、図４〜図７において、符号４１で示す暖房床材は、両側に開口する構成部品収容用の筐体（枠体）４２と、筐体４２の両開口部のうち一方の開口部を覆う木質系の表面部材４３と、表面部材４３を暖めるためのヒータユニット４４と、ヒータユニット４４と表面部材４３との間に介在する均熱アルミ板４５と、筐体４２の両開口部のうち他方の開口部を覆う封止用の裏面部材４６とを備えている。
【０００４】
筐体４２は、ヒータユニット４４を収容する収容空間４２Ａ、コネクタ４７を収容する左右２つの内部空間４２Ｂ、及びこれら両内部空間４２Ｂに連通するコネクタ（電源線・アース線）引き出し用の凹溝４２Ｃ〜４２Ｅを有し、全体が四角形枠によって形成されている。
【０００５】
表面部材４３は、筐体４２の上面部に一体に設けられている。そして、ヒータユニット４４からのヒータ熱を受けて暖房材として、またフローリング仕上材としてそれぞれ機能するように構成されている。
【０００６】
ヒータユニット４４は、発熱部材を含む配線部材４８と、配線部材４８等を覆うシート部材４９，５０と、発熱部材における過度の温度上昇を防止するためのサーモスタット５１と、ヒータ熱の裏面部材側への熱伝達を遮断する硬質ウレタン製の断熱部材５２とを一体化してなり、筐体４２内に収容されている。
【０００７】
配線部材４８は、略Ｓ字形に蛇行してユニット内に布設された発熱部材としてのヒータ線４８Ａと、このヒータ線４８Ａの両端部に接続された電源線４８Ｂと、これら電源線４８Ｂと共にコネクタ４７に接続された接地部ａ付きのアース線４８Ｃとを有し、サーモスタット５１と共に２つのシート部材４９，５０によって覆われている。
【０００８】
一方のシート部材４９は、配線部材４８及びサーモスタット５１の上方に配置され、全体が約５０μｍの厚さをもつ粘着層付きのアルミニウムシートによって形成されている。他方のシート部材５０は、配線部材４８及びサーモスタット５１の下方に配置され、全体がアルミニウムシート及びプラスチックシートからなる複合シートによって形成されている。
【０００９】
均熱アルミ板４５は、表面部材４３の下方に配置され、かつシート部材４９に接着されている。そして、ヒータユニット４４からのヒータ熱を受けて表面部材４３に熱伝達するように構成されている。
【００１０】
裏面部材４６は、内部空間４２Ｂに連通する貫通窓４６Ａを有し、筐体４２の下面部に取り付けられている。裏面部材４６には、貫通窓４６Ａを開閉する蓋部５３が設けられている。
【００１１】
このような暖房床材４１を用いてフローリング面を形成するには、例えば複数の暖房床材４１を所定のレイアウトに応じて配置・施工し、次にこれら暖房床材４１のうち互いに隣接する２つの暖房床材の蓋部５４（貫通窓４６Ａ）を開放して内部空間４２Ｂのコネクタ４７を外部に引き出すとともに、凹溝４２Ｃ〜４２Ｅから選択した一の凹溝内に電源線４８Ｂ及びアース線４８Ｃを配置し、この状態においてコネクタ４７同士を接続することにより行う。
【００１２】
また、従来の暖房床材には、熱媒用配管が埋設された板状体の上側面を覆う表面部材として軟質層、金属箔、及び合成樹脂層からなるものも提案されている（例えば特許文献１）。
【特許文献１】特開２００３−２４０２４６号公報
【発明の開示】
【発明が解決しようとする課題】
【００１３】
しかし、前者（図４〜図７に示す暖房床材）にあっては、筐体４２に裏面部材４６を取り付ける他、ヒータユニット４４（シート部材５２）に均熱アルミ板４５を取り付ける構造であるため、組立時に構成部品の取付回数が嵩み、組立作業を煩雑にするという問題があった。
【００１４】
また、図４〜図７に示す暖房床材においては、ヒータユニット４４が駆動（ヒータ線４８Ａが発熱）すると、各構成部品における熱膨張率の差異による熱変形によって反りが生じ、フローリング仕上材としての美観を損なうという問題もあった。
【００１５】
一方、後者（特許文献１に示す暖房床材）にあっては、軟質層があり、構成部品の熱変形を吸収することができるものの、表面部材が３つの層（軟質層及び金属箔・合成樹脂層）からなるものであるため、層数が嵩み、製造加工を煩雑にするという問題があった。
【００１６】
従って、本発明の目的は、組立作業の簡素化を図ることができるとともに、美観に優れたフローリング仕上材を得ることができ、かつ製造加工を簡単に行うことができる暖房床材を提供することにある。
【課題を解決するための手段】
【００１７】
（１）本発明は、上記目的を達成するために、収容空間を内部に有する筐体と、前記筐体に配設され、前記収容空間の一部を覆う表面部材と、前記表面部材によって被覆され、かつ前記収容空間に収容され、ヒータ熱を発生させるためのヒータ線及び前記ヒータ線を覆う２つのシート部材を有するヒータユニットとを備えた暖房床材であって、前記２つのシート部材のうち表面部材側のシート部材は、熱伝導性材料からなる単一の軟質層によって形成されていることを特徴とする暖房床材を提供する。
【００１８】
（２）本発明は、上記目的を達成するために、両側に開口する収容空間を有する筐体と、前記筐体に配設され、前記収容空間の両開口部のうち一方の開口部を覆う木質系の表面部材と、前記表面部材によって被覆され、かつ前記収容空間に収容され、ヒータ熱を発生させるためのヒータ線及び前記ヒータ線を覆う２つのシート部材を有する断熱部材付きのヒータユニットと、前記ヒータユニットの反表面部材側に配設され、前記収容空間の両開口部のうち他方の開口部を覆う封止用の裏面部材とを備えた暖房床材であって、前記２つのシート部材のうち表面部材側のシート部材は、熱伝導性材料からなる単一の軟質層によって形成されていることを特徴とする暖房床材を提供する。
【発明の効果】
【００１９】
本発明によると、組立作業の簡素化を図ることができるとともに、美観に優れたフローリング仕上材を得ることができ、かつ製造加工を簡単に行うことができる。
【発明を実施するための最良の形態】
【００２０】
[実施の形態]
図１は、本発明の実施の形態に係る暖房床材のヒータユニットを説明するために示す下面図である。図２は、本発明の実施の形態に係る暖房床材の内部構造全体について説明するために示す断面図である。図３は、本発明の実施の形態に係る暖房床材のヒータユニットの内部構造について説明するために示す断面図である。図１〜図３において、図４〜図７と同一の部材についてはヒータユニット及びその各構成部品を除いて同一の符号を付し、詳細な説明は省略する。
【００２１】
〔暖房床材の全体構成〕
図１〜図３において、符号１で示す暖房床材（木質系暖房床材）は、両側に開口する構成部品収容用の筐体４２（図４に示す）と、筐体４２の両開口部のうち一方の開口部を覆う木質系の表面部材４３と、表面部材４３を暖めるためのヒータユニット２と、枠体４２の両開口部のうち他方の開口部を覆う封止用の裏面部材４６とから大略構成されている。
【００２２】
（ヒータユニット２の構成）
ヒータユニット２は、発熱部材を含む配線部材３と、配線部材３等を覆うシート部材４，５と、発熱部材における過度の温度上昇を防止するためのサーモスタット６と、ヒータ熱の裏面部材側への熱伝達を遮断する硬質ウレタン製の断熱部材７とを一体化してなり、筐体４２の収容空間４２Ａ（図４に示す）に収容されている。
【００２３】
配線部材３は、略Ｓ字形に蛇行してユニット内に布設された発熱部材としてのヒータ線３Ａと、このヒータ線３Ａの両端部に接続された電源線３Ｂと、これら電源線３Ｂと共にコネクタ４７に接続された接地部ａ付きのアース線３Ｃとを有し、サーモスタット６と共に２つのシート部材４，５によって覆われている。
【００２４】
一方のシート部材４は、配線部材３及びサーモスタット６の上方にシート上面部を表面部材４３に対向させて配置され、全体が約０．２ｍｍ（均熱アルミ板４５の厚さ５０μｍの４倍）の厚さをもつアルミニウム等の金属材料からなる軟質層（軟質板）によって形成されている。他方のシート部材５は、配線部材３及びサーモスタット６の下方に配置され、全体がアルミニウムシート及びプラスチックシートを貼り合わせてなるラミネート部材によって形成されている。
【００２５】
このような暖房床材１を用いてフローリング面を形成するには、従来と同様にして行う。すなわち、例えば複数の暖房床材１を所定のレイアウトに応じて配置・施工し、次にこれら暖房床材１のうち互いに隣接する２つの暖房床材の蓋部５３（図５に示す）を開放して内部空間４２Ｂ（図４に示す）のコネクタ４７を外部に引き出すとともに、凹溝４２Ｃ〜４２Ｅ（図４に示す）から選択した一の凹溝内に電源線３Ｂ及びアース線３Ｃを配置し、この状態においてコネクタ４７同士を接続することにより行う。
【００２６】
なお、暖房床材１におけるヒータユニット２への電力の供給は、電源線３Ｂ（コネクタ４７）に接続されるコントローラ（図示せず）を操作して行われる。
【００２７】
[実施の形態の効果]
以上説明した実施の形態によれば、次に示す効果が得られる。
【００２８】
（１）従来必要とした均熱アルミ板４５が不要であるため、組立時に構成部品の取付回数を削減することができ、組立作業の簡素化を図ることができる。
【００２９】
（２）ヒータユニット２が駆動（ヒータ線３Ａが発熱）し、各構成部品における熱膨張率の差異による熱変形によって反りが生じても、この反り変形をシート部材４によって吸収することができ、美観に優れたフローリング仕上材を得ることができる。
【００３０】
（３）表面部材４３（筐体４２）が単一の部材（単一層）からなるため、層数を削減することができ、製造加工を簡単に行うことができる。
【００３１】
（４）表面部材４３に対向するシート部材４がアルミニウムによって形成されているため、床材表面において均熱性能を確保することができるとともに、シート部材４の良好な成形加工性を得ることができ、かつシート部材４に銅等の金属材料を用いる場合と比べて材料コストを低減することができる。
【００３２】
以上、本発明の暖房床材を上記の実施の形態に基づいて説明したが、本発明は上記の実施の形態に限定されるものではなく、その要旨を逸脱しない範囲で種々の態様において実施することが可能であり、例えば次に示すような変形も可能である。
【００３３】
（１）本実施の形態では表面部材４３が筐体４２（枠体）に一体に設けられている構造について説明したが、本発明はこれに限定されず、筐体４２に表面部材４３を取り付ける構造としてもよい。
【００３４】
（２）本実施の形態ではシート部材７がアルミニウム等の金属材料によって形成されている場合について説明したが、本発明はこれに限定されず、他の例えば銅等の金属材料によってシート部材４を形成してもよい。すなわち要するに、シート部材４が熱伝導性材料によって形成されていればよい。
【図面の簡単な説明】
【００３５】
【図１】本発明の実施の形態に係る暖房床材のヒータユニットを説明するために示す下面図。
【図２】本発明の実施の形態に係る暖房床材の内部構造全体について説明するために示す断面図。
【図３】本発明の実施の形態に係る暖房床材のヒータユニットの内部構造について説明するために示す断面図。
【図４】従来の暖房床材の内部構造全体について説明するために示す下面図。
【図５】従来の暖房床材の外観を示す下面図。
【図６】従来の暖房床材のヒータユニットを説明するために示す下面図。
【図７】従来の暖房床材のヒータユニットの内部構造について説明するために示す断面図。
【符号の説明】
【００３６】
１，４１…暖房床材、２，４４…ヒータユニット、３，４８…配線部材、３Ａ，４８Ａ…ヒータ線、３Ｂ，４８Ｂ…電源線、３Ｃ，４８Ｃ…アース線、４，５，４９，５０…シート部材、６，５１…サーモスタット、７，５２…断熱部材、４２…筐体、４２Ａ…収容空間、４２Ｂ…内部空間、４２Ｃ〜４２Ｅ…凹溝、４３…表面部材、４４…ヒータユニット、４５…均熱アルミ板、４６…裏面部材、４６Ａ…貫通窓、４７…コネクタ、５３…蓋部、ａ…接地部
【図１】
2007010182.tif 000003
【図２】
2007010182.tif 000004
【図３】
2007010182.tif 000005
【図４】
2007010182.tif 000006
【図５】
2007010182.tif 000007
【図６】
2007010182.tif 000008
【図７】
2007010182.tif 000009